(57)【特許請求の範囲】
【請求項１】
光ディスクの記録面にレーザスポットを形成する対物レンズと、この対物レンズとコイルとを取付けたレンズホルダを備える可動部と、この可動部のトラッキング方向の両側面のそれぞれに一端が取付けられておりフォーカシング方向に複数本並ぶ支持部材と、この支持部材の他端を固定する固定部と、前記コイルに対向して配置される磁石と、この磁石を取付けたヨークと、前記トラッキング方向の両側に配置された前記支持部材をそれぞれ前記トラッキング方向に挟んだ両側に壁を有するゲル保持部とを備えた光ピックアップにおいて、
前記ゲル保持部は、前記フォーカシング方向の前記光ディスク側の一端のみに、前記フォーカシング方向の前記光ディスク側が開放された開口と、前記トラッキング方向の前記対物レンズから遠い側の壁に、前記開口の縁から伸びる切欠きとを有し、
前記切欠きの底面と前記光ディスクとの距離は、前記光ディスクから前記フォーカシング方向に最も離れた前記支持部材と前記光ディスクとの距離よりも長いことを特徴とする光ピックアップ。
【請求項２】
請求項１記載の光ピックアップにおいて、
前記ゲル保持部は、前記ヨークの前記トラッキング方向の両端に前記ヨークと一体に設けられていることを特徴とする光ピックアップ。
【請求項３】
請求項１記載の光ピックアップにおいて、
前記ゲル保持部は、前記固定部の前記トラッキング方向の両端に前記固定部と一体に設けられていることを特徴とする光ピックアップ。
【発明の詳細な説明】
【技術分野】
【０００１】
本発明は、光ディスクの記録面上に記録された情報を再生、または光ディスクの記録面上に情報を記録するために、対物レンズをフォーカシング方向とトラッキング方向へ駆動して、対物レンズの焦点位置を光ディスクの記録面上の目標トラックに合わせる光ピックアップに関する。
【背景技術】
【０００２】
本技術分野の背景技術として、特開２００３−３４６３６７号公報（特許文献１）がある。この公報には、ヨークのトラッキング方向の両端をフォーカシング方向に立ち曲げて、その立ち曲げ部と支持部材を取り付ける固定部との間にダンパ用のゲルを注入するゲル保持部を形成した対物レンズアクチュエータが開示されている。
【０００３】
これによると、ゲルを注入するゲル保持部の形成が容易な対物レンズアクチュエータ装置を提供できると記載されている（要約参照）。
【０００４】
また、特開平１１−２６５５１６号公報（特許文献２）がある。この公報には、支持部材を取り付ける固定部に、テーパー部と溝部とからなる開口部を、各支持部材に対して形成し、各溝部に隣接した位置に、ダンパ用のゲルを注入するゲル保持部を形成した光ピックアップが開示されている。
【０００５】
これによると、ゲルの注入を容易にし、注入のばらつきを防止しうる光ピックアップを提供できると記載されている。
【先行技術文献】
【特許文献】
【０００６】
【特許文献１】特開２００３−３４６３６７号公報
【特許文献２】特開平１１−２６５５１６号公報
【発明の概要】
【発明が解決しようとする課題】
【０００７】
上記特許文献１の技術では、ゲル保持部の内部を目視できるのがフォーカシング方向の光ディスク側からのみであるため、フォーカシング方向に複数本並ぶ支持部材の最下段までゲルが到達していない不具合が生じても、それを目視で確認することが困難である。この場合、支持部材の剛性と可動部の質量で決まる可動部の並進モードの振幅が十分に減衰されず、対物レンズの位置を光ディスクの面ぶれや偏芯に追従させるためのサーボゲインの設定が困難になる可能性があった。
【０００８】
一方、上記特許文献２の技術では、ゲルを注入するゲル保持部が支持部材１本ごとに設けられているため、各ゲルはゲル保持部を形成する壁で仕切られている。この場合、少なくとも支持部材の本数分だけのゲルの塗布工程と、ゲル表面の硬化のためのトラッキング方向の両側からの紫外光照射、または固定部の姿勢を変えて片側ずつ少なくとも２回の紫外光照射が必要になるため、組立に時間がかかる可能性があった。
【０００９】
本発明の目的は、組立ての簡素化とゲルの塗布状態のばらつき低減を両立させることでコスト低減を図り、性能のばらつきを小さくした光ピックアップを提供することにある。
【課題を解決するための手段】
【００１０】
上記目的は、光ディスクの記録面にレーザスポットを形成する対物レンズと、この対物レンズとコイルとを取付けたレンズホルダを備える可動部と、この可動部のトラッキング方向の両側面のそれぞれに一端が取付けられたフォーカシング方向に複数本並ぶ支持部材と、この支持部材の他端を固定する固定部と、前記コイルに対向して配置される磁石と、この磁石を取付けたヨークと、前記トラッキング方向の両側に配置された前記支持部材をそれぞれ前記トラッキング方向に挟んだ両側に壁を有するゲル保持部とを備えた光ピックアップにおいて、前記ゲル保持部はフォーカシング方向の前記光ディスク側の一端に開口と、トラッキング方向の前記対物レンズから遠い側の壁に前記開口の縁から伸びる切欠きを有することにより達成される。
【００１１】
また上記目的を達成するために好ましくは、前記ゲル保持部は前記ヨークのトラッキング方向両端に前記ヨークと一体に設けると良い。
【００１２】
また上記目的を達成するために好ましくは、前記ゲル保持部は前記固定部のトラッキング方向両端に前記固定部と一体に設けると良い。
【００１３】
また上記目的を達成するために好ましくは、前記切欠きの底面と前記光ディスクとの距離は、前記光ディスクからフォーカシング方向に最も離れた前記支持部材と前記光ディスクとの距離よりも長くすると良い。
【発明の効果】
【００１４】
本発明によれば、組立ての簡素化とゲルの塗布状態のばらつき低減を両立させることでコスト低減を図り、性能のばらつきを小さくした光ピックアップを提供できる。
【図面の簡単な説明】
【００１５】
【図１】本発明に係る光ピックアップの対物レンズ駆動手段の構成図である。
【図２】本発明に係る光ピックアップの対物レンズ駆動手段の側面図である。
【図３】本発明に係る光ピックアップの対物レンズ駆動手段の断面図である。
【図４】本発明に係る光ピックアップの対物レンズ駆動手段の構成図である。
【図５】本発明に係る光ピックアップの対物レンズ駆動手段の側面図である。
【図６】本発明に係る光ピックアップの構成図である。
【発明を実施するための形態】
【００１６】
以下、本発明の実施例を図面にしたがって説明する。
【実施例１】
【００１７】
本実施例では、光ディスクの記録面上に記録された情報を再生、または光ディスクの記録面上に情報を記録するために、対物レンズをフォーカシング方向とトラッキング方向へ駆動して、対物レンズの焦点位置を光ディスクの記録面上の目標トラックに合わせる光ピックアップを説明する。
【００１８】
まず、光ピックアップについて図６を用いて説明する。  
図６は、本発明に係る光ピックアップの構成図である。  
図６において、図示されていない光ディスクへ対物レンズ１が近づく方向を上、遠ざかる方向を下と定義する。この上下方向がフォーカシング方向となる。また、図中に左、右と記した方向がトラッキング方向となる。
【００１９】
光ピックアップは、主に光学系と、対物レンズ駆動手段１００と、フレキシブルプリント基板１０を備えている。光学系は、光源となる半導体レーザ３と、出射光を光ディスクの記録面上に絞り込むための対物レンズ１と、制御用の誤差信号を検出・生成するための光学素子と、光ディスクからの反射光の変化を電気信号に変換する光検出器５などから構成される。
【００２０】
対物レンズ駆動手段１００は、対物レンズ１の焦点位置を光ディスクの記録面上の目標トラックに合わせる機構（詳細は後述する）である。フレキシブルプリンの基板１０は、光学系や対物レンズ駆動手段１００を外部の制御回路と電気的に接続する基板で、半導体レーザ３や光検出器５などが取り付けられている。
【００２１】
この対物レンズ駆動手段１００について図１を用いて説明する。  
図１は、本発明に係る光ピックアップの対物レンズ駆動手段１００の構成図である。  
図１において、対物レンズ駆動手段１００は、ヨーク１５と磁石６とからなる磁気回路と、対物レンズ１とコイル７とを取付けたレンズホルダ２からなる可動部と、可動部のトラッキング方向の両側面のそれぞれに一端が取付けられたフォーカシング方向に複数本並ぶ支持部材４と、この支持部材４の他端を固定する固定部1３とで構成されている。
【００２２】
ヨーク１５は固定部1３の方向へ支持部材４の長手方向Ｌに沿って延長され、その延長された部分のトラッキング方向の両側にゲル保持部１５０を有する。ゲル保持部１５０はフォーカシング方向の光ディスク側の面に開口１５２を有するＵ字型で、ヨーク１５と一体に形成されており、ゲル８が溜まりやすい形状となっている。
【００２３】
このゲル保持部１５０の詳細について図２と図３を用いて説明する。  
図２は、本発明に係る光ピックアップの対物レンズ駆動手段１００の側面図である。  
図３は、本発明に係る光ピックアップの対物レンズ駆動手段１００の、図２中に一点鎖線で示すＡ-Ａ断面図である。  
図２または図３に示すように、ゲル保持部１５０は、フォーカシング方向の光ディスク９側の面に開口１５２と、トラッキング方向の両側に配置された支持部材４をそれぞれトラッキング方向に挟んだ両側に壁１５３、１５４と、そして、トラッキング方向の対物レンズ１から遠い側の壁１５４に、開口１５２の縁から伸びる切欠き１５１を有している。このゲル保持部１５０に塗布されたゲル８は、両壁１５３、１５４に密着し、支持部材４を包み込むことで、可動部の質量と支持部材４の剛性で決まる可動部の並進モードの振幅を減衰している。
【００２４】
次に、このゲル保持部１５０の壁１５４に設けた切欠き１５１の深さについて図２を用いて説明する。なお、図２では、支持部材４のフォーカシング方向の位置を明示するために、ゲル８は図示されていない。  
図２において、本実施例の対物レンズ駆動手段１００では、切欠き１５１の底面１５５と光ディスク９との距離Ｄ１が、光ディスク９からフォーカシング方向に最も離れた最下端の支持部材と光ディスク９との距離ｄよりも長い。このため、この切欠き１５１からトラッキング方向にゲル保持部１５０の中を覗いた際、フォーカシング方向に複数本並ぶ支持部材４の全てを可視することができる。
【００２５】
このように本実施例は、ゲル保持部１５０に関して次の３つの特徴を持つ。
【００２６】
第１の特徴は、フォーカシング方向の光ディスク９側の面が開放されて開口１５２を有することである。
【００２７】
第２の特徴は、トラッキング方向の対物レンズ１から遠い側の壁１５４に、開口１５２から伸びる切欠き１５１を有することである。
【００２８】
第３の特徴は、その切欠き１５１の底面１５５と光ディスク９との距離Ｄ１が、光ディスク９からフォーカシング方向に最も離れた最下端の支持部材と光ディスク９との距離ｄよりも長いことである。
【００２９】
第１と第２の特徴によって、フォーカシング方向に複数本並ぶ支持部材４のすべてを横断する形でのゲル８の一括塗布が、切欠き１５１に沿ってフォーカシング方向の一方向から行える。さらに、対物レンズ１を挟んでトラッキング方向の両側２か所に塗布されたゲル８の表面を硬化させるための紫外光の一括照射も、フォーカシング方向の一方向から行える。
【００３０】
すなわち、ゲル８の塗布から硬化までの作業が対物レンズ駆動手段１００の姿勢を変えることなく行えるため、組立ての簡素化と作業ばらつきの低減が可能となる。したがって、ゲル８の支持部材４への塗布状態のばらつきが低減され、支持部材４の剛性と可動部の質量で決まる可動部の並進モードの振幅を確実に減衰できる。加えて、第３の特徴によって、フォーカシング方向に複数本並ぶすべての支持部材４へのゲル８の塗布の確実性がより一層増し、ゲル８の支持部材４への塗布状態のばらつきがより一層低減される。したがって、支持部材４の剛性と可動部の質量で決まる可動部の並進モードの振幅をより確実に減衰できる。
【００３１】
このように本実施例の特徴によって、性能ばらつきの小さい光ピックアップを安価に提供することができる。
【実施例２】
【００３２】
本実施例では、ゲル保持部をヨークではなく固定部に一体に設けた光ピックアップを説明する。  
図４は、本発明の実施例２における光ピックアップの対物レンズ駆動手段２００を示す構成図である。図４の対物レンズ駆動手段２００のうち、既に説明した図１に示された同一の符号を付された構成と、同一の機能を有する部分については、説明を省略する。
【００３３】
図４において、対物レンズ駆動手段２００は、固定部２３の左右方向の両側が、可動部の方向へ支持部材４の長手方向Ｌに沿って延長され、その延長された部分にゲル保持部２３０が固定部２３と一体に成型されている。
【００３４】
ゲル保持部２３０は、フォーカシング方向の光ディスク側の面に開口２３２と、トラッキング方向の両側に配置された支持部材４をそれぞれトラッキング方向に挟んだ両側に壁２３３、２３４と、そしてトラッキング方向の対物レンズ１から遠い側の壁２３４に、開口２３２の縁から伸びる切欠き２３１を有している。このゲル保持部２３０に塗布されたゲル８は、両壁２３３、２３４に密着し、支持部材４を包み込むことで、可動部の質量と支持部材４の剛性で決まる可動部の並進モードの振幅を減衰している。
【００３５】
このゲル保持部２３０の壁２３４に設けた切欠き２３１の深さについて図５を用いて説明する。  
図５は、本発明に係る光ピックアップの対物レンズ駆動手段２００の側面図である。図５では、支持部材４のフォーカシング方向の位置を明示するために、ゲル８は図示されていない。
【００３６】
図５において、本実施例の対物レンズ駆動手段２００では、切欠き２３１の底面２３５と光ディスク９との距離Ｄ２が、光ディスク９からフォーカシング方向に最も離れた最下端の支持部材と光ディスク９との距離ｄよりも長い。このため、この切欠き２３１からトラッキング方向にゲル保持部２３０の中を覗いた際、フォーカシング方向に複数本並ぶ支持部材４の全てを可視することができる。
【００３７】
このように本実施例は、ゲル保持部２３０に関して次の３つの特徴を持つ。
【００３８】
第１の特徴は、上面に開口２３２を有することである。
【００３９】
第２の特徴は、トラッキング方向の対物レンズ１から遠い側の壁２３４に、開口２３２の縁から伸びる切欠き２３１を有することである。
【００４０】
第３の特徴は、その切欠き２３１の底面２３５と光ディスク９との距離Ｄ２が、フォーカシング方向の最下端の支持部材と光ディスク９との距離ｄよりも長いことである。
【００４１】
第１と第２の特徴によって、フォーカシング方向に複数本並ぶ支持部材４のすべてを横断する形でのゲル８の一括塗布が、切欠きに沿ってフォーカシング方向の一方向から行えることである。さらに、対物レンズ１を挟んでトラッキング方向の両側２か所に塗布されたゲル８の表面を硬化させるための紫外光の一括照射も、フォーカシング方向の一方向から行えることである。すなわち、ゲル８の塗布から硬化までの作業が光ピックアップの姿勢を変えることなく行えるため、組立ての簡素化と作業ばらつきの低減が可能となる。
【００４２】
したがって、ゲル８の支持部材４への塗布状態のばらつきが低減され、支持部材４の剛性と可動部の質量で決まる可動部の並進モードの振幅を確実に減衰できる。加えて、第３の特徴によって、上下方向に複数本並ぶすべての支持部材４のへのゲル８の塗布の確実性がより一層増し、ゲル８の支持部材４への塗布状態のばらつきがより一層低減される。したがって、支持部材４の剛性と可動部の質量で決まる可動部の並進モードの振幅をより確実に減衰できる。
【００４３】
以上のごとく本発明によれば、第１に、フォーカシング方向に複数本並ぶ支持部材のすべてを横断する形でのゲルの一括塗布が、切欠きに沿ってフォーカシング方向の一方向から行えることである。さらに、対物レンズを挟んでトラッキング方向の両側２か所に塗布されたゲルの表面を硬化させるための紫外光の一括照射も、フォーカシング方向の一方向から行えることである。すなわち、ゲルの塗布から硬化までの作業が光ピックアップの姿勢を変えることなく行えるため、組立ての簡素化と作業ばらつきの低減が可能となることである。
【００４４】
第２に、フォーカシング方向に複数本並ぶすべての支持部材へのゲルの塗布の確実性が増し、ゲルの支持部材への塗布状態のばらつきが低減されることである。すなわち、支持部材の剛性と可動部の質量で決まる可動部の並進モードの振幅を確実に減衰できることである。したがって、性能ばらつきの小さい光ピックアップを安価に提供することができる。
【符号の説明】
【００４５】
１００、２００…対物レンズ駆動手段、１…物レンズ、１３、２３…固定部、１５、２５…ヨーク、１５０、２３０…ゲル保持部、１５１、２３１…切欠き、１５２、２３２…開口、１５３、１５４、２３３、２３４…壁、１５５、２３５…底面、２…レンズホルダ、３…半導体レーザ、４…持部材、５…光検出器、６…磁石、７…コイル、８…ゲル、９…光ディスク、１０…フレキシブルプリント基板、Ｄ１、Ｄ２…光ディスクから切欠きの底面までの距離、ｄ…光ディスクから最下端の支持部材までの距離、Ｌ…支持部材の長手方向。
【図１】
0005439452.tif 000002
【図２】
0005439452.tif 000003
【図３】
0005439452.tif 000004
【図４】
0005439452.tif 000005
【図５】
0005439452.tif 000006
【図６】
0005439452.tif 000007